(57)【要約】【課題】ナット内から漏洩した潤滑剤により周辺部が汚染されることを抑制することのできるねじ装置を提供する。【解決手段】ねじ装置は、ねじ軸１の外周面に形成された軸側ねじ溝３と複数のボール５を介して係合するナット側ねじ溝４を有し、ねじ軸１の回転に伴ってねじ軸１の軸方向に移動するナット２を備えている。ナット２の軸方向両端部には、ねじ軸１の外周面を覆う半円筒状の潤滑剤飛散防止カバー１０が設けられ、潤滑剤飛散防止カバー１０は薄い板金又はプラスチックで形成されている。【選択図】図１
2012149695.tif 000002
【特許請求の範囲】
【請求項１】
ねじ軸の外周面に形成された軸側ねじ溝と複数の転動体を介して係合するナット側ねじ溝を有し、前記ねじ軸の回転に伴ってねじ軸の軸方向に移動するナットを備えたねじ装置であって、
前記ナットの軸方向両端部に、前記ねじ軸の外周面を覆う半円筒状の潤滑剤飛散防止カバーが設けられていることを特徴とするねじ装置。
【発明の詳細な説明】
【技術分野】
【０００１】
本発明は、ボールねじ、ローラねじ等のねじ装置に関する。
【背景技術】
【０００２】
従来のねじ装置の一例を図４に示す。同図に示されるねじ装置はねじ軸１およびナット２を備えており、ねじ軸１の外周面には、軸側ねじ溝３がねじ軸１の一端部から他端部にわたって形成されている。
軸側ねじ溝３はナット２の内周面に形成されたナット側ねじ溝４と対向しており、軸側ねじ溝３とナット側ねじ溝４との間には、転動体としてのボール５が多数組み込まれている。これらのボール５は軸側ねじ溝３とナット側ねじ溝４との間に形成された螺旋状の転動体負荷転走路をねじ軸１の回転運動に伴って転走するようになっている。そして、転動体負荷転走路を転走したボール５はナット２に組み付けられた循環チューブ６に導入され、この循環チューブ６を経由して元の位置に戻されるようになっている。
また、図６に示されるねじ装置はねじ軸１とナット２との間を密封する二つのシール７を備えており、これらのシール７はナット２の軸方向両端部に装着されている。
【先行技術文献】
【特許文献】
【０００３】
【特許文献１】特開２００９−１１５２３７号公報
【発明の概要】
【発明が解決しようとする課題】
【０００４】
このようなねじ装置は、ねじ軸１に付着した塵埃や金属粉等の異物がナット２の内側に侵入してボール５の転がり運動が阻害されることをシール７によって防ぐことができるが、次のような問題点を有していた。すなわち、グリース等の潤滑剤がナット２の内側に絶えず供給される条件で使用される場合やシール７に劣化や熱的変形等が生じた場合には、潤滑剤がシール７を押し退けてナット２の外部に漏洩する。そして、ナット２の外部に漏洩した潤滑剤がねじ軸１に付着すると、ねじ軸１に付着した漏洩潤滑剤がナット２の移動に伴ってねじ軸１の軸方向両端部（ナット２のストロークエンド）にシール７によってかき集められ、ねじ軸１の軸方向両端部にかき集められた漏洩潤滑剤が遠心力の作用によりねじ軸１の外径方向に飛散するため、ナット内から漏洩した潤滑剤によってねじ装置の周辺部が汚染されるという問題があった。
本発明は上述した問題点に着目してなされたものであり、その目的は、ナット内から漏洩した潤滑剤により周辺部が汚染されることを抑制することのできるねじ装置を提供するにある。
【課題を解決するための手段】
【０００５】
上記課題を解決するために、請求項１記載の発明に係るねじ装置は、ねじ軸の外周面に形成された軸側ねじ溝と複数の転動体を介して係合するナット側ねじ溝を有し、前記ねじ軸の回転に伴ってねじ軸の軸方向に移動するナットを備えたねじ装置であって、前記ナットの軸方向両端部に、前記ねじ軸の外周面を覆う半円筒状の潤滑剤飛散防止カバーが設けられていることを特徴とする。
【発明の効果】
【０００６】
本発明によれば、ねじ軸の外周面を覆う半円筒状の潤滑剤飛散防止カバーをナットの軸方向両端部に設けたことにより、ナット内から漏洩した潤滑剤は潤滑剤飛散防止カバーの内面に向かって飛散し、ねじ装置の周辺部に飛散することがないので、ナット内から漏洩した潤滑剤により周辺部が汚染されることを抑制することができる。
【図面の簡単な説明】
【０００７】
【図１】本発明の実施形態に係るねじ装置を示す図である。
【図２】潤滑剤飛散防止カバーをねじ装置に取り付けた状態を示す図である。
【図３】潤滑剤飛散防止カバーを示す図である。
【図４】従来のねじ装置の一例を示す図である。
【発明を実施するための形態】
【０００８】
以下、本発明の実施の形態を図面に基づいて説明する。
図１及び図２は本発明の実施形態を示す図で、図１は本発明の実施形態に係るねじ装置を示す図である。同図に示されるように、実施形態に係るねじ装置はねじ軸１およびナット２を備えており、ねじ軸１の外周面には、軸側ねじ溝３がねじ軸１の一端部から他端部にわたって形成されている。
【０００９】
軸側ねじ溝３はナット２の内周面に形成されたナット側ねじ溝４と対向しており、軸側ねじ溝３とナット側ねじ溝４との間には、転動体としてのボール５が多数組み込まれている。これらのボール５は軸側ねじ溝３とナット側ねじ溝４との間に形成された螺旋状の転動体負荷転走路をねじ軸１の回転運動に伴って転走し、転動体負荷転走路を転走したボール５はナット２に組み付けられた循環チューブ６に導入され、この循環チューブ６を経由して元の位置に戻されるようになっている。
【００１０】
ナット２の軸方向両端部には、半円筒状の潤滑剤飛散防止カバー１０がナット近傍のねじ軸の上半分の外周面を覆うように設けられている。この潤滑剤飛散防止カバー１０は薄い板金又はプラスチックで形成されており、潤滑剤飛散防止カバー１０の内側に向けて半円盤状のフランジ部が形成されており、このフランジ部１２には潤滑剤飛散防止カバー１０をねじ１４でナット２の端面に固定するための貫通孔１６が形成されている。
【００１１】
上述した実施形態のように、ねじ軸１の上半分の外周面を覆う潤滑剤飛散防止カバー１０をナット２の軸方向両端部に設けると、ナット２内から漏洩した潤滑剤はねじ軸１の周囲に飛散しようとするが、ねじ軸１の上半分方向に飛散する潤滑剤はこの潤滑剤飛散防止カバー１０に捕捉され、潤滑剤飛散防止カバー１０の内周面を伝わって下に落下する。ねじ軸１の下半分方向に飛散しようとする潤滑剤は潤滑剤飛散防止カバー１０に捕捉されずに下の方へ落下するが、ねじ軸１の下側に潤滑剤受け箱を用意しておけば、ねじ装置の周辺部に潤滑剤が飛散することがないので、ナット２内から漏洩した潤滑剤により周辺部が汚染されることを抑制することができる。
【００１２】
本実施形態では、本発明をボールねじに適用した場合を示したが、これに限られるものではなく、たとえば、ローラねじについても本発明を適用することができる。
【産業上の利用可能性】
【００１３】
本発明は潤滑剤飛散防止カバーを設けたねじ装置として各種機械装置に広く適用できる。
【符号の説明】
【００１４】
１  ねじ軸
２  ナット
３  軸側ねじ溝
４  ナット側ねじ溝
５  ボール
６  循環チューブ
１０  潤滑剤飛散防止カバー
１２  フランジ部
１４  ねじ
１６  貫通孔
【図１】
2012149695.tif 000003
【図２】
2012149695.tif 000004
【図３】
2012149695.tif 000005
【図４】
2012149695.tif 000006